(57)【要約】【課題】光ファイバーケーブル入口１３近傍にコンセントが設けられていない場合であっても、新たにコンセントを設けたりすることなく簡単、かつ、容易、安価に光加入者終端装置１５に電源供給ができるようにする。【解決手段】多数本の通信線からなるＬＡＮケーブル１７（１７ａ〜１７ｃ）により家庭内等に設けられた通信手段と接続されると共に、集合ドロップ光ファイバケーブル１１と接続されて、光信号と電気信号とを相互に変換する光加入者終端装置１５に電源供給が行なえるようにする。このときＬＡＮケーブル１７ａとＬＡＮケーブル１７ｂと間に第１の給電装置１８ａを設け、ＬＡＮケーブル１７ｂとＬＡＮケーブル１７ｃとの間に第１の給電装置１８ｂを設ける。そして、これら第１、第２の給電装置１８にはＬＡＮケーブル１７ｂにおける未使用の通信線を給電線として利用できるように電源入出力端子を設け、アダプタ１９の出力を第１の給電装置１８ａの電源入出力端子に接続し、また第２の給電装置１８ｂの電源入出力端子と光加入者終端装置１５とを給電線１６で接続する。【選択図】      図１
2006087245.tif 000002
【特許請求の範囲】
【請求項１】
多数本の通信線からなる通信ケーブルにより家庭内等に設けられた通信手段と接続されると共に、光ファイバ通信線等の外線と接続されて、当該外線を介して送受信する信号と前記通信手段用の信号とを相互形式に変換する信号変換手段に電源供給が行なえるようにする給電装置であって、
前記通信ケーブルの途中に接続されて、これらの通信ケーブルが装着される２つのポートと、
前記通信ケーブルにおける未使用の通信線と接続状態となって、当該未使用の通信線に対する電力の入出力を可能にする電源入出力端子とを備えることを特徴とする給電装置。
【請求項２】
前記未使用の通信線が偶数本ある場合に、複数本を１本の給電線として利用することを特徴とする請求項１記載の給電装置。
【請求項３】
前記電源入出力端子が２個を１対として複数対設けられて、複数の種類の電源供給できるようにしたことを特徴とする請求項１又は２記載の給電装置。
【請求項４】
前記通信ケーブルが、ＬＡＮケーブルであることを特徴とする請求項１乃至３いずれか１記載の給電装置。
【請求項５】
前記電源入出力端子が、一方の前記ポートに接続された前記通信ケーブルにおける未使用の通信線と接続され、他方の前記ポートに接続された前記通信ケーブルにおける未使用の通信線と接続されていないことを特徴とする請求項１乃至４いずれか１記載の給電装置。
【発明の詳細な説明】
【技術分野】
【０００１】
本発明は、多数本の通信線からなる通信ケーブルにより家庭内等に設けられた通信手段と接続されると共に、光ファイバ通信線等の外線と接続されて、当該外線を介して送受信する信号と前記通信手段用の信号とを相互形式に変換する信号変換手段に電源供給が行なえるようにした給電装置に関する。
【背景技術】
【０００２】
近年、インターネットの普及は目覚ましく、一般家庭においてもより高速な通信が行える光通信サービスを利用する場合が多くなっている。かかる光通信サービスにおける光信号は、家屋等の入口まで光ファイバーケーブルが敷設されて伝送されるが、家屋内は従前の電気信号として伝送される場合が多い。電気信号を伝送する通信ケーブルとしてＬＡＮケーブルがよく知られ、かつ、よく利用されている。
【０００３】
このように光信号と電気信号とを変換して情報伝達が行われるため、かかる信号変換手段として光加入者終端装置（ＯＮＵ：Ｏｐｔｉｃａｌ  Ｎｅｔｗｏｒｋ  Ｕｎｉｔ）を光ファイバーケーブルとＬＡＮケーブルとの間に設けている。
【０００４】
図７は、このような光加入者終端装置１０２を備える光ファイバ通信システムの概要図で、集合ドロップ光ファイバケーブル１０１に光加入者終端装置１０２が接続され、この光加入者終端装置１０２と各家庭等は金属の通信線１０３により接続されている。ところが、光加入者終端装置１０２は電源を必要とするため、当該光加入者終端装置１０２を屋外に設けると電源供給が困難になる場合があった。
【０００５】
そこで、図８に示すように、光ユニット１１２の外側に複数の給電線１１４を撚り合わせた構造の光ファイバケーブル１１０が提案されて、給電線１１４を介して光加入者終端装置１０２等に電源供給できるようになっている（特許文献１参照）。
【０００６】
なお、光加入者終端装置１０２を屋内に設ける場合には、図９に示すように、集合ドロップ光ファイバケーブル１０３は光キャビネット１２１で屋内用の光ファイバーケーブル１２３に接続され、その後に光加入者終端装置１０２に入力する構成であるため、光加入者終端装置１０２には、建屋内の商用電源コンセント１２４からアダプタ１２５等により電源供給を行うことが可能である。
【特許文献１】特願２０００−２４３１５６号公報
【発明の開示】
【発明が解決しようとする課題】
【０００７】
しかしながら、光加入者終端装置１０２を屋内に設ける際には、光ファイバケーブル１２３の施工性の観点から家屋における光ファイバーケーブル入口１２２の近傍に取付られることが多く、以下のように美観を損ねたり、工事費がかさむ問題があった。
【０００８】
即ち、現存の家屋等においては、光ファイバーケーブル入口１２２を想定して、その場所に商用電源用コンセント１２４を設けている場合が少ない。従って、既存の家屋等に係る設備を導入する際には、コンセント１２４を準備する必要が生じ、そのための工事費を要すると共に、商用電源線を引き回して配線するため美観を損ねる問題があった。
【０００９】
無論、光加入者終端装置１０２とルータ１２９等は、通信ケーブルであるＬＡＮケーブル１２７で接続する必要があり、かかるＬＡＮケーブル１２７が露出して配線されるため、このＬＡＮケーブル１２７と一緒に商用電源線を配線するならば大幅な美観低下を行さないと考えられるが、商用電源線は交流であるためノイズの発生源となり易く、ＬＡＮケーブル１２７と一緒に配線することは好ましくない。
【００１０】
従って、ＬＡＮケーブル１２７と商用電源線とは、別々に配線することになり、著しく美観が損なわれてしまう。また、複数の配線路を確保し難い場合もあり、美観を損ねることなく安価に施工することが困難であった。
【００１１】
そこで、本発明は、光ファイバーケーブル入口近傍にコンセントが設けられていない場合であっても、新たにコンセントを設けたりすることなく簡単、かつ、容易、安価に光加入者終端装置に電源供給ができるようにする給電装置を提供することを目的とする。
【課題を解決するための手段】
【００１２】
上記課題を解決するため、請求項１に係る発明は、多数本の通信線からなる通信ケーブルにより家庭内等に設けられた通信手段と接続されると共に、光ファイバ通信線等の外線と接続されて、当該外線を介して送受信する信号と通信手段用の信号とを相互形式に変換する信号変換手段に電源供給が行なえるようにする給電装置であって、通信ケーブルの途中に接続されて、これらの通信ケーブルが装着される２つのポートと、通信ケーブルにおける未使用の通信線と接続状態となって、当該未使用の通信線に対する電力の入出力を可能にする電源入出力端子とを備えるものである。
【００１３】
これにより、通信ケーブルの未使用の通信線を給電線として利用できるようになるため、光ファイバーケーブル入口近傍にコンセントが設けられていない場合であっても、新たにコンセントを設けたりすることなく簡単、かつ、容易、安価に光加入者終端装置に電源供給ができるようになる。
【００１４】
また、請求項２に係る発明は、未使用の通信線が偶数本ある場合に、複数本を１本の給電線として利用するものである。
これにより、大容量の電源の供給が可能になる。
【００１５】
また、請求項３に係る発明は、電源入出力端子が２個を１対として複数対設けられて、複数の種類の電源供給できるようにしたものである。
これにより、電源供給側が１種類でなく、複数の電源が要求される場合であっても、新たな電源線を設けることなく供給可能になる。
【００１６】
また、請求項４に係る発明は、通信ケーブルとしてＬＡＮケーブルを用いるようにしたものである。
これにより、ＬＡＮケーブルにおける未使用の通信線の有効利用が可能になり、新たな電源線を設けることなく供給可能になる。
【００１７】
また、請求項５に係る発明は、電源入出力端子が、一方のポートに接続された通信ケーブルにおける未使用の通信線と接続され、他方のポートに接続された通信ケーブルにおける未使用の通信線と接続されていないようにしたものである。
これにより、電源がポートを介して通信手段や信号変換手段に直接入力することによる電気的な弊害が防止できるようになる。
【発明の効果】
【００１８】
本発明によれば、通信ケーブルの途中に接続されて、これらの通信ケーブルが装着される２つのポートと、通信ケーブルにおける未使用の通信線と接続状態となって、当該未使用の通信線に対する電源の入出力を可能にする電源入出力端子とを備えたので、通信ケーブルの未使用の通信線を給電線として利用できるようになり、光ファイバーケーブル入口近傍にコンセントが設けられていない場合であっても、新たにコンセントを設けたりすることなく簡単、かつ、容易、安価に光加入者終端装置に電源供給ができるようになる。
【発明を実施するための最良の形態】
【００１９】
本発明の実施例を図を参照して説明する。図１は本発明に係る給電装置を適用した光ファイバ通信システムの概要図である。当該光ファイバ通信システムにおいては、集合ドロップ光ファイバケーブル１１が光キャビネット１２に入力し、ここで屋内用の光ファイバーケーブル１４に接続され、その後に光加入者終端装置１５に入力している。
【００２０】
この光加入者終端装置１５は、コンピュータ２２に接続されるルータ２１等とＬＡＮケーブル１７（１７ａ〜１７ｃ）を介して接続されている。
【００２１】
また、コンピュータ２２の周りには商用電源コンセント２０があるため、このコンセント２０に電源アダプタ１９が接続され、この電源アダプタ１９の出力は第１の給電装置１８ａ（１８）によりＬＡＮケーブル１７ｂにおける未使用の通信線に接続されている。
【００２２】
一方、光加入者終端装置１５の近傍のＬＡＮケーブル１７ｃとＬＡＮケーブル１７ｂとは、第２の給電装置１８ｂ（１８）を介して接続され、ＬＡＮケーブル１７ｂの未使用通信線を介して送られてきた電力を取出し、給電線１６を光加入者終端装置１５に供給できるようになっている。
【００２３】
なお、ＬＡＮケーブル１７にはカテゴリ３，カテゴリ５等の種々の規格があり、また最近はカテゴリ６の製品も登場している。これらのＬＡＮケーブル１７では、８本の通信線が用いられ、その内の４本が未使用となっている。無論、本発明は、このような規格物のＬＡＮケーブルのみに限定されるものではなく、少なくとも２本の未使用の通信線が他のある通信ケーブルに適用できるものである。
【００２４】
図２は、給電装置１８の蓋を取り除いた際の上面図を示し、２つのＲＪ−４５コネクタ等のコネクタが装着されるポート３１，３２が設けられると共に、電源入出力端子３３（３３ａ，３３ｂ）が設けられて、図３〜図５に示すように結線されている。
【００２５】
図３は、７番及び８番の通信線を利用する構成であり、図４は４番と７番、５番と８番を２本束ねて利用する構成である。また、図５は４番と５番を１対の給電線とし、また７番と８番を１対の給電線とした場合の構成を示している。従って、図５の構成の場合は２の電源入出力端子３３，３４が設けられている。なお、何番の未使用線を使用するかは、任意に設計し設定できるものである。
【００２６】
電源としては、交流電源の利用も可能であるが、交流電源はノイズ源となる場合があるので、直流電源を用いることが好ましい。特に、通信信号速度が大きくなると、かかるノイズの影響が深刻になるため直流電源が好ましい。
【００２７】
また、複数の電源（例えば、９Ｖと１２Ｖのように）が供給できるようにすることで、電源電圧の異なる複数の機器への電源供給が可能になり利便性が向上する。
【００２８】
次に、このような構成の給電装置１８を用いて光加入者終端装置１５に電源供給する場合を説明する。なお、このときの給電装置１８は、図２及び図３に示す構成とする。
【００２９】
先ず、電源アダプタ１９の出力を第１の給電装置１８ａの電源入出力端子３３に接続し、ルータ２１からのＬＡＮケーブル１７ａを第１の給電装置１８ａのポート３１に装着する。この電源アダプタ１９はコンセント２０に装着される。
【００３０】
ついで、ＬＡＮケーブル１７ｂの一方のコネクタを第１の給電装置１８のポート３２に装着し、他方のコネクタを第２の給電装置１８ｂのポート３２に装着する。
【００３１】
そして、ＬＡＮケーブル１７ｃの一方のコネクタを第２の給電装置１８ｂのポート３１に装着し、他方のコネクタを光加入者終端装置１５に接続する。また、第２の給電装置１８ｂの電源入出力端子３３を給電線１６により光加入者終端装置１５と接続する。
【００３２】
これにより、光ファイバーケーブル入口１３近傍にコンセントが設けられていない場合であっても、新たにコンセントを設けたりすることなく簡単、かつ、容易に光加入者終端装置１５に電源供給ができるようになる。
【００３３】
なお、上記説明では、屋内に設けた光加入者終端装置に給電装置１８により電源供給するを場合について説明したが、図６に示すように、屋外に設けたキャビネットボックス２３内に設置された光加入者終端装置１５に当該給電装置１８を用いて電源供給するようにしても良い。このキャビネットボックスには、光キャビネット１２、光加入者終端装置１５及び第２の給電装置１８が収納されている。
【００３４】
この場合は、第１の給電装置１８ａにＬＡＮケーブル１７ａとＬＡＮケーブル１７ｂとが接続され、ＬＡＮケーブル１７ｂの他方のコネクタはキャビネットボックス２３内の第２の給電装置１８ｂに接続される。
【００３５】
そして、給電線１６は、第２の給電装置１８ｂにおける電源入出力端子３３と光加入者終端装置１５とに接続される。
これにより、光加入者終端装置１５を屋外に設けた場合であっても、その近くにコンセントを設ける工事を行うことなく電源供給を行うことが可能になる。
【図面の簡単な説明】
【００３６】
【図１】本発明に係る給電装置を適用した光ファイバ通信システムの概要図である。
【図２】給電装置の蓋を取り除いた際の上面図である。
【図３】２の未使用の通信線を給電線として利用する場合の結線図である。
【図４】複数の未使用の通信線を束ねて１本の給電線とした場合の結線図である。
【図５】複数の電源供給を可能にした場合の結線図である。
【図６】屋外に設けた光加入者終端装置に給電する場合の光ファイバ通信システムの概要図である。
【図７】従来の技術の説明に適用される光ファイバ通信システムの概要図である。
【図８】従来の技術の説明に適用される給電可能な光ファイバケーブルの構成を示す図である。
【図９】従来の技術の説明に適用される屋外に設けた光加入者終端装置に給電する場合の光ファイバ通信システムの概要図である。
【符号の説明】
【００３７】
１１  集合ドロップ光ファイバケーブル
１２  光キャビネット
１４  光ファイバーケーブル
１５  光加入者終端装置
１６  給電線
１８（１８ａ，１８ｂ）  給電装置
１９  電源アダプタ
２０  コンセント
２１  ルータ
２２  コンピュータ
２３  キャビネットボックス
３１，３２  ポート
３３（３３ａ，３３ｂ）、３４（３４ａ，３４ｂ）  電源入出力端子
【図１】
2006087245.tif 000003
【図２】
2006087245.tif 000004
【図３】
2006087245.tif 000005
【図４】
2006087245.tif 000006
【図５】
2006087245.tif 000007
【図６】
2006087245.tif 000008
【図７】
2006087245.tif 000009
【図８】
2006087245.tif 000010
【図９】
2006087245.tif 000011